(57)【要約】【課題】発信装置が配置された場所の照度を簡易に監視することが可能な監視システムを提供する。【解決手段】監視システムは、発信装置と端末装置とを備える。発信装置は、光が照射されることで発電する発電素子と、発電素子により発電された電力を蓄電する蓄電部と、発信装置の識別情報を含む所定信号を発信する発信部と、蓄電部の電圧値が第１閾値以上になった場合に、蓄電部からの電力供給により発信部を駆動し、発信部に所定信号を発信させる制御部とを含む。端末装置は、所定信号の受信間隔に基づいて、発電素子に照射される光の照度を監視する。【選択図】図１
2019021979.tif 000002
【特許請求の範囲】
【請求項１】
発信装置と端末装置とを備える監視システムであって、
前記発信装置は、
光が照射されることで発電する発電素子と、
前記発電素子により発電された電力を蓄電する蓄電部と、
前記発信装置の識別情報を含む所定信号を発信する発信部と、
前記蓄電部の電圧値が第１閾値以上になった場合に、前記蓄電部からの電力供給により前記発信部を駆動し、前記発信部に所定信号を発信させる制御部とを含み、
前記端末装置は、前記所定信号の受信間隔に基づいて、前記発電素子に照射される光の照度を監視する、監視システム。
【請求項２】
前記制御部は、前記蓄電部の電圧値が第２閾値以下になるまで、前記発信部に前記所定信号を所定周期で発信させるとともに、前記蓄電部の電圧値が前記第２閾値以下になった場合に前記蓄電部からの電力供給の停止により前記発信部を停止させ、
前記端末装置は、前記所定信号を前回受信した第１時点と、前記所定信号を今回受信した第２時点との受信間隔が前記所定周期よりも大きい場合に、当該受信間隔に基づいて、前記発電素子に照射される光の照度を監視する、請求項１に記載の監視システム。
【請求項３】
前記制御部は、前記発信部の駆動を維持しつつ、前記蓄電部の電圧値が前記第１閾値に到達するごとに前記発信部に前記所定信号を発信させ、
前記端末装置は、前記所定信号を前回受信した第１時点と、前記所定信号を今回受信した第２時点との受信間隔に基づいて、前記発電素子に照射されている光の照度を監視する、請求項１に記載の監視システム。
【請求項４】
前記端末装置は、今回の前記受信間隔から前回の前記受信間隔を減算した減算値が所定値以上である場合、前記発電素子の受光面が遮光されたと判定する、請求項２または３に記載の監視システム。
【請求項５】
前記端末装置は、前回の前記受信間隔に対する今回の前記受信間隔の比率が所定比率以上である場合、前記発電素子の受光面が遮光されたと判定する、請求項２または３に記載の監視システム。
【請求項６】
前記発信装置は、光が照射される部屋に配置された椅子であって、かつ、前記椅子に人が着席している場合には当該人により前記発電素子の受光面が遮光され、前記椅子に人が着席していない場合には前記発電素子の受光面が遮光されない位置に取り付けられており、
前記端末装置は、前記発信装置から受信した所定信号の受信間隔に少なくとも基づいて、前記椅子に人が着席したか否かを判定する、請求項４または５に記載の監視システム。
【請求項７】
前記部屋には、照明装置が設けられており、
他の発信装置をさらに備え、
前記他の発信装置は、前記照明装置により光が照射可能なエリアであって、かつ、前記照明装置から光が照射されている場合に前記発電素子の受光面が当該光を受光可能な位置に配置されており、
前記端末装置は、
前記他の発信装置の発信部から発信される所定信号をさらに受信し、
前記発信装置から受信した所定信号の受信間隔と、前記他の発信装置から受信された所定信号の受信間隔とに基づいて、前記椅子に人が着席したか否かを判断する、請求項６に記載の監視システム。
【請求項８】
前記発信装置は、部屋に設けられた照明装置により光が照射可能なエリアであって、かつ、前記照明装置から光が照射されている場合に前記発電素子の受光面が当該光を受光可能な位置に配置されており、
前記端末装置は、前記発信装置から受信した所定信号の受信間隔に基づいて、前記照明装置から光が照射されているか否かを判定する、請求項１〜５のいずれか１項に記載の監視システム。
【請求項９】
複数の前記発信装置の各々は、部屋に設けられた照明装置により光が照射可能なエリアであって、かつ、前記照明装置から光が照射されている場合に前記発電素子の受光面が当該光を受光可能な位置に配置されており、
前記端末装置は、
各前記発信装置から発信される所定信号を受信し、
複数の前記発信装置の各々について、当該発信装置の識別情報および位置情報を格納しており、
各前記発信装置から発信される所定信号の受信間隔に基づいて、各前記発信装置のうちの第１発信装置の発電素子の受光面が遮光されたと判断した場合、前記第１発信装置が配置された位置に向けてデータを送信する、請求項４または５に記載の監視システム。
【請求項１０】
前記蓄電部は、前記発電素子に並列接続されたコンデンサである、請求項１〜９のいずれか１項に記載の監視システム。
【請求項１１】
前記発電素子は、色素増感太陽電池である、請求項１〜１０のいずれか１項に記載の監視システム。
【発明の詳細な説明】
【技術分野】
【０００１】
本開示は、監視システムに関する。
【背景技術】
【０００２】
従来、近接通信を行なうための各種の方法が知られている。例えば、発信装置（例えば、ビーコン装置）がビーコン信号を送信し、端末装置がビーコン信号を受信するための技術（特許文献１）が知られている。特開２０１５−２００６０９号公報（特許文献１）は、ビーコンを用いて屋内でも現在地の位置情報を正確に取得して経路案内することを検討している。
【先行技術文献】
【特許文献】
【０００３】
【特許文献１】特開２０１５−２００６０９号公報
【発明の概要】
【発明が解決しようとする課題】
【０００４】
ところで、部屋の照度を監視する場合、照度の測定値を近接通信を用いて管理側の端末装置で受信する等が考えられる。例えば、部屋に設けられた照度計にて照度を測定し、その測定値を通信データに変換して通信回線で送るという方式、あるいは、日射計に電圧測定用のデータロガーを接続し、その測定値を通信データに変換して通信回線で送る等の方式がある。上記方式では、照度計（あるいは、日射計）、データロガー、データ変換部、データ送信機等を含むシステムが必要となる。
【０００５】
しかしながら、上記システムでは、各機器において電力が必要となる。例えば、ビル等の多数箇所の照度を監視する必要がある場合、それぞれの箇所で各機器に電力を供給するための配線工事を行なう必要がある。各機器を電池で駆動する場合であっても定期的に電池を交換する必要がある。そのため、照度の監視が煩雑となるという問題がある。
【０００６】
本開示は、ある局面では、発信装置が配置された場所の照度を簡易に監視することが可能な監視システムを提供することを目的とする。
【課題を解決するための手段】
【０００７】
ある実施の形態に従うと、発信装置と端末装置とを備える監視システムが提供される。発信装置は、光が照射されることで発電する発電素子と、発電素子により発電された電力を蓄電する蓄電部と、発信装置の識別情報を含む所定信号を発信する発信部と、蓄電部の電圧値が第１閾値以上になった場合に、蓄電部からの電力供給により発信部を駆動し、発信部に所定信号を発信させる制御部とを含む。端末装置は、所定信号の受信間隔に基づいて、発電素子に照射される光の照度を監視する。
【発明の効果】
【０００８】
本開示によると、発信装置が配置された場所の照度を簡易に監視することが可能な監視することが可能となる。
【図面の簡単な説明】
【０００９】
【図１】実施の形態１に従う監視システムの全体構成を説明するための図である。
【図２】実施の形態１に従う発信動作を説明するための図である。
【図３】光の照度と信号停止期間との関係を説明するための図である。
【図４】実施の形態１に従う椅子の座面に埋め込まれた発信装置を示す図である。
【図５】実施の形態１に従う監視システムによる着席および離席の判定方式を説明するための図である。
【図６】人が着席状態から離席状態に移行した際の受信間隔の推移を示す図である。
【図７】外光の照度変化に伴う受信間隔の推移を示す図である。
【図８】実施の形態１に従う端末装置の処理手順の一例を示す図である。
【図９】実施の形態２に従う発信回路の発信動作を説明するための図である。
【図１０】実施の形態３に従う監視システムによる着席および離席の判定方式を説明するための図である。
【図１１】実施の形態３に従う端末装置の処理手順の一例を示すフローチャートである。
【図１２】実施の形態４に従う監視システムを説明するための図である。
【図１３】実施の形態５に従う監視システムを説明するための図である。
【図１４】実施の形態５に従う端末装置のハードウェア構成である。
【図１５】実施の形態５に従う端末装置の処理手順の一例を示すフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜システム構成＞
図１は、実施の形態１に従う監視システム１０００の全体構成を説明するための図である。図１を参照して、監視システム１０００は、太陽電池が搭載された発信装置１０と、発信装置からの信号を受信する端末装置２０とを含み、発信装置１０が設けられた場所の照度を監視するように構成されている。
【００１２】
発信装置１０は、発電素子１１と、コンデンサ１２と、制御回路１３と、発信回路１４とを含む。典型的には、発電素子１１、コンデンサ１２、制御回路１３および発信回路１４は、同一の筐体内に設けられている。
【００１３】
発電素子１１は、光が照射されることで発電する太陽電池であり、１つ又は複数の太陽電池セル（図示しない）を有している。本実施の形態では、発電素子１１は、色素増感太陽電池である。色素増感太陽電池は、屋外だけでなく室内用途にも適している。室内は屋外と比べて低照度だが、室内照明器具から得られる照度下においても、色素増感太陽電池は高い発電性能を発揮する。
【００１４】
コンデンサ１２は、発電素子１１で生成された電荷を蓄えたり放出したりする素子であり、発電素子１１と並列に接続されている。コンデンサ１２は、発電素子１１からの発電電力を蓄電するための蓄電部として機能する。制御回路１３によって、コンデンサ１２から発信回路１４に向けて放電される。コンデンサ１２として、例えば、電気二重層コンデンサを用いることができる。コンデンサ１２と、発電素子１１との間に、発電素子１１から入力される電圧を、コンデンサ１２の蓄電に適した電圧に昇圧する昇圧部を有していてもよい。
【００１５】
制御回路１３は、コンデンサ１２に蓄電された電力を用いて動作しており、発信装置１０の全体制御を行なう。具体的には、制御回路１３は、コンデンサ１２の電圧値（以下、「コンデンサ電圧」とも称する。）を常時監視しており、当該コンデンサ電圧に基づいて、発信回路１４への給電の開始および停止を制御する。
【００１６】
具体的には、制御回路１３は、コンデンサ電圧が閾値Ｔｈ１（例えば、３．２Ｖ）以上になった場合、発電素子１１によって得られる発電電力を発信回路１４に給電して、発信回路１４を駆動させる。制御回路１３は、コンデンサ電圧が閾値Ｔｈ２（例えば、２．４Ｖ）以下になった場合、発信回路１４への当該発電電力の給電を停止することにより、発信回路１４を停止させる。
【００１７】
発信回路１４は、発電電力の供給を受けて駆動する。発信回路１４は、発信装置１０の識別情報（ビーコンＩＤ）を含むビーコン信号１５を、発信装置１０の周囲に送信する。ビーコン信号１５の発信方式の詳細については後述する。
【００１８】
端末装置２０は、発信装置１０から送信されるビーコン信号１５を受信する。端末装置２０は、発信回路１４から送信されるビーコン信号１５の受信間隔に基づいて、発信装置１０の発電素子１１の受光面（表面）に照射されている光の照度を監視（推定）する。照度の監視方式については後述する。なお、受信間隔は、ビーコン信号１５を受信してから次のビーコン信号１５を受信するまでの経過時間である。
【００１９】
端末装置２０は、例えば、ＰＣ（personal computer）である。ただし、端末装置２０は、スマートフォン、タブレット端末装置、ラップトップＰＣ（personal computer）等のような他の機器であってもよい。
【００２０】
端末装置２０は、主たる構成要素として、プロセッサ２１と、メモリ２２と、受信アンテナ２３と、通信インターフェイス（Ｉ／Ｆ）２４と、入力装置２５と、ディスプレイ２６とを含む。
【００２１】
プロセッサ２１は、典型的には、ＣＰＵ（Central Processing Unit）やＭＰＵ（Multi Processing Unit）といった演算処理部である。プロセッサ２１は、メモリ２２に記憶されたプログラムを読み出して実行することで、端末装置２０の各部の動作を制御する制御部として機能する。プロセッサ２１は、当該プログラムを実行することによって、後述する端末装置２０の処理（ステップ）の各々を実現する。
【００２２】
メモリ２２は、ＲＡＭ（Random  Access  Memory）、ＲＯＭ（Read-Only  Memory）、フラッシュメモリなどによって実現される。メモリ２２は、プロセッサ２１より実行されるプログラム、またはプロセッサ２１により用いられるデータなどを記憶する。
【００２３】
受信アンテナ２３は、発信装置１０から送信されるビーコン信号１５を受信する。端末装置２０と、発信回路１４との間で用いられる通信規格としては、例えば、Ｂｌｕｅｔｏｏｔｈ（登録商標）やＢＬＥ（Bluetooth  Low  Energy）等の近距離無線通信規格である。例えば、ＢＬＥ規格に対応する発信装置１０は、ビーコンＩＤを含むアドバタイジングデータをビーコン信号としてブロードキャストにより発信装置１０の周囲に送信する。
【００２４】
通信インターフェイス２４は、外部装置（例えば、サーバ）と各種データをやり取りするための通信インターフェイスであり、アダプタやコネクタなどによって実現される。通信方式としては、無線ＬＡＮなどによる無線通信方式が採用されるが、ＵＳＢケーブルを用いた有線通信方式であってもよい。
【００２５】
入力装置２５は、端末装置２０に対する操作入力を受け付ける。例えば、入力装置２５は、キーボード、マウス、タッチパネル等である。ディスプレイ２６は、端末装置２０による照度の監視結果等の各種情報を表示する。
【００２６】
＜照度の監視方式＞
次に、実施の形態１に従う照度の監視方式について説明する。
【００２７】
図２は、実施の形態１に従う発信動作を説明するための図である。図２においては、時刻ｔ０から発電素子１１に光が照射される場面を想定する。
【００２８】
制御回路１３は、コンデンサ電圧が閾値Ｔｈ１以上になった場合に発信回路１４を駆動し、発信回路１４にビーコン信号１５を発信させる。また、制御回路１３は、コンデンサ電圧が閾値Ｔｈ２以下になった場合に発信回路１４を停止させ、発信回路１４によるビーコン信号１５の発信を停止する。より具体的には、制御回路１３は、コンデンサ電圧が閾値Ｔｈ２以下になるまで、発信回路１４にビーコン信号１５を所定周期（例えば、１秒）で発信させる。
【００２９】
図２を参照すると、時刻ｔ０から時刻ｔ１直前までの期間Ｔ１は、ビーコン信号１５の発信が停止している信号停止期間である。期間Ｔ１では、発電素子１１による発電電力がコンデンサ１２に蓄電されており、発電素子１１が受光している光の照度に応じてコンデンサ電圧が上昇する。
【００３０】
時刻ｔ１から時刻ｔ２までの期間Ｔ２は、信号強度Ｄのビーコン信号１５が所定周期で発信されている信号発信期間である。具体的には、時刻ｔ１に、コンデンサ電圧が閾値Ｔｈ１に到達すると、発信回路１４が駆動し、所定周期（例えば、１秒）でビーコン信号１５を４回発信する。期間Ｔ２では、発信回路１４の発信動作によりコンデンサ１２に蓄電された電力が消費される。時刻ｔ２においてコンデンサ電圧が閾値Ｔｈ２以下に低下すると、発信回路１４が停止し、ビーコン信号１５の発信が停止する。
【００３１】
時刻ｔ２直後から時刻ｔ３直前までの期間Ｔ３は、ビーコン信号１５の発信が停止している信号停止期間である。具体的には、期間Ｔ３では、発電素子１１により生成された発電電力が、コンデンサ１２に蓄電される。時刻ｔ３において、コンデンサ電圧が閾値Ｔｈ１に到達すると、発信回路１４によるビーコン信号１５を発信が再度開始される。
【００３２】
時刻ｔ３直後から時刻ｔ４直前までの期間Ｔ４は、信号強度Ｄのビーコン信号１５が所定周期で発信されている信号発信期間である。期間Ｔ２と同様に、発信回路１４は、信号強度Ｄのビーコン信号１５を所定周期で４回発信する。時刻ｔ４において、コンデンサ電圧が閾値Ｔｈ２以下になると、ビーコン信号１５の発信が停止する。
【００３３】
時刻ｔ４直後から時刻ｔ５直前までの期間Ｔ５は、ビーコン信号１５の発信が停止している信号停止期間である。期間Ｔ３と同様に期間Ｔ５においても、発電素子１１により生成された発電電力は、コンデンサ１２に蓄電される。時刻ｔ５において、コンデンサ電圧が閾値Ｔｈ１に到達すると、ビーコン信号１５を発信が再度開始される。
【００３４】
図２を参照すると、期間Ｔ５は期間Ｔ３よりも短いことがわかる。これは、期間Ｔ５におけるコンデンサ電圧の上昇速度が、期間Ｔ３におけるコンデンサ電圧の上昇速度よりも速いことを意味する。すなわち、期間Ｔ５では、期間Ｔ３よりも、発電素子１１が受光している光の照度が高いことを意味する。なぜなら、発電素子１１が受ける光の照度が大きいほど発電電力が大きくなり、結果として、コンデンサ電圧の上昇速度が速くなるためである。
【００３５】
ここで、端末装置２０により受信されるビーコン信号１５の受信間隔は、信号停止期間と同一とみなすことができる。したがって、端末装置２０は、ビーコン信号１５の受信間隔を監視することにより、間接的に、発信装置１０の受光面に照射される光の照度を監視することができる。
【００３６】
図３は、光の照度と信号停止期間との関係を説明するための図である。図３を参照して、曲線３００によると、例えば、発信装置１０（の受光面）が１００００ルクス（ｌｕｘ）の照度下に置かれている場合には、信号停止期間（すなわち、受信間隔）が約１８秒である。また、例えば、発信装置１０が１０００ルクスの照度下に置かれている場合には、信号停止期間が約４０秒である。端末装置２０は、図３に示される光の照度と受信間隔との関係を示す関係情報Ｘ（例えば、曲線３００）をメモリ２２に予め記憶しておく。これにより、端末装置２０は、発信装置１０から受信するビーコン信号１５の受信間隔と、関係情報Ｘとを比較することにより、発信装置１０がどの程度の照度下におかれているのかを監視できる。
【００３７】
具体的には、端末装置２０は、ビーコン信号１５を前回受信した時点（例えば、時刻ｔ２）と、ビーコン信号１５を今回受信した時点（例えば、時刻ｔ３）との受信間隔（例えば、期間Ｔ３）が、所定周期（例えば、１秒）よりも大きい場合に、当該受信間隔と関係情報Ｘとを比較して、発信装置１０に照射される光の照度を推定する。例えば、期間Ｔ３は約１８秒（図２参照）であるため、期間Ｔ３において発信装置１０に照射された光の照度の平均値は、約１００００ｌｕｘであると推定される。
【００３８】
なお、端末装置２０は、ビーコン信号１５を前回受信した時点と、ビーコン信号１５を今回受信した時点との受信間隔が所定周期以下である場合には、信号発信期間であると判断し（すなわち、所定周期で信号が発信されていると判断し）、当該受信間隔を用いた照度推定は行なわない。
【００３９】
＜応用例＞
監視システム１０００を用いた応用例について説明する。ここでは、椅子に配置された発信装置１０の照度変化を監視することにより、椅子に人が着席したか否かを判断する例について説明する。
【００４０】
図４は、実施の形態１に従う椅子の座面に埋め込まれた発信装置１０を示す図である。図４を参照して、椅子４００の座面４０１に、発信装置１０の受光面が上方を向くように埋め込まれている。発信装置１０は、椅子４００に人が着席している場合には当該人により発電素子１１の受光面が遮光され、椅子４００に人が着席していない場合（すなわち、離席時）には発電素子１１の受光面が遮光されないように椅子４００に取り付けられていればよい。例えば、発信装置１０は、椅子４００の背もたれ４０２に埋め込まれていてもよい。
【００４１】
図５は、実施の形態１に従う監視システム１０００による着席および離席の判定方式を説明するための図である。図５を参照して、椅子４００は、窓５０１から太陽光等の外光が差し込む部屋に配置される。ここでは、外光以外の光の影響は無視するものとする。
【００４２】
図５（ａ）に示すように、人が椅子４００に着席しているときには、発信装置１０の受光面は、人により一部（または、全部が）遮光された状態となる。この場合、発電素子１１の発電電力はかなり小さく（または、ゼロに）なる。そのため、発信装置１０からのビーコン信号１５の発信間隔は非常に長くなる（すなわち、端末装置２０によるビーコン信号１５の受信間隔は非常に長くなる）。
【００４３】
一方、図５（ｂ）に示すように、人が椅子４００から離席しているときには、発信装置１０の受光面は、外光により照射された状態となる。この場合、発電素子１１の発電電力は、一定電力以上となるため、ビーコン信号１５は一定間隔で発信される。すなわち、端末装置２０によるビーコン信号１５の受信間隔は、着席時よりも大幅に短くなる。端末装置２０は、着席時の受信間隔と離席時の受信間隔とが大きく異なることを利用して、着席したか否かを判定する。
【００４４】
図６は、人が着席状態から離席状態に移行した際の受信間隔の推移を示す図である。図６の縦軸は受信間隔を示しており、横軸は受信間隔の各計測回を示している。端末装置２０により計測されるビーコン信号１５の受信間隔は、例えば、図２の期間Ｔ３，Ｔ５等に相当する。図６においては、スタート時点で人が椅子４００に着席しているとする。また、１回目〜６回目の受信間隔の計測中において、外光の照度は変化しないとする。
【００４５】
図６を参照して、受信間隔の計測を開始してから１回目および２回目の受信間隔はＴａである。これは、人が椅子４００に着席していることから（図５（ａ）参照）、受信間隔が長い状態で維持されているためである。なお、図６では、着席時でも発電素子１１の受光面は完全に遮光されてはおらず、発信装置１０からの発信信号は完全には停止していないと仮定している。
【００４６】
次に、２回目の計測終了直後に人が離席したとする（図５（ｂ）参照）。この場合、３回目の受信間隔は、Ｔａよりも大幅に短いＴｂとなっている。すなわち、受信間隔が急激に短くなっていることがわかる。これは、人が椅子４００から離席したことにより、受光面の照度が大きくなり（すなわち、発電電力が大きくなり）、コンデンサ電圧の上昇速度が速くなった結果、端末装置２０によるビーコン信号１５の受信間隔が急激に短くなったことを示している。なお、４〜６回目の受信間隔はＴｂを維持している。
【００４７】
図６では、人が着席状態から離席状態に移行した際の受信間隔の推移を示しているが、人が離席状態から着席状態に移行した際の受信間隔についても同様に考えることができる。例えば、離席状態のときに計測されたｎ回目の受信間隔がＴｂであり、ｎ回目の計測終了直後に人が着席した場合には、ｎ＋１回目の受信間隔はＴａになる。
【００４８】
図７は、外光の照度変化に伴う受信間隔の推移を示す図である。図７の縦軸は受信間隔を示しており、横軸は受信間隔の各計測回を示している。図７においては、１回目〜６回目の受信間隔の計測中において、人は離席状態であり、外光の照度が徐々に増加していくものとする。
【００４９】
図７を参照して、１回目および２回目の受信間隔はＴｃである。この期間においては、外光照度が一定であり、受信間隔が一定に維持されている。
【００５０】
次に、２回目の計測終了直後に外光照度が増加し始めたとする。この場合、３回目の受信間隔は、Ｔｃよりも少し短いＴｄとなっている。すなわち、受信間隔が緩やかに短くなっている。さらに、４回目の受信間隔は、Ｔｄよりも少し短いＴｅとなっている。５回目の受信間隔は、Ｔｅよりも少し短いＴｆとなっている。６回目の受信間隔は、５回目の受信間隔と同じくＴｆである。これにより、２回目〜５回目の計測期間中では外光照度が徐々に増加しており、５回目〜６回目の期間中では外光照度が一定になったと推定される。
【００５１】
このように、人の着席または離席による受信間隔の変化（図６参照）と比較して、外光照度の変化に伴う受信間隔の変化は緩やかとなる。したがって、受信間隔の変化を監視することにより、人が着席（または離席）したのか、あるいは、外光照度が変化しているだけなのかを判定できる。
【００５２】
具体的には、今回の受信間隔（例えば、図６中の３回目の受信間隔Ｔｂ）から、前回の受信間隔（例えば、図６中の２回目の受信間隔Ｔａ）を減算した減算値Ｓ（＝Ｔｂ−Ｔａ）の符号が負であり、絶対値が所定値Ｋ（例えば、２０秒）以上である場合には、端末装置２０は、今回の受信間隔の計測時点から前回の受信間隔の計測時点までの間に、椅子４００から人が離席したと判定する。一方、今回の受信間隔から、前回の受信間隔を減算した減算値Ｓの符号が正であり、絶対値が所定値Ｋ以上である場合には、端末装置２０は、今回の受信間隔の計測時点から前回の受信間隔の計測時点までの間に、発電素子１１の受光面が遮光された、すなわち椅子４００に人が着席したと判定する。
【００５３】
または、前回の受信間隔（例えば、図６中の２回目の受信間隔Ｔａ）に対する、今回の受信間隔（例えば、図６中の３回目の受信間隔Ｔｂ）の比率（例えば、Ｔｂ／Ｔａ）が所定比率Ｌ１（例えば、０．５）未満である場合には、端末装置２０は、今回の受信間隔の計測時点から前回の受信間隔の計測時点までの間に、椅子４００から人が離席したと判定してもよい。前回の受信間隔に対する今回の受信間隔の比率が所定比率Ｌ２（例えば、１／Ｌ１＝２）以上である場合には、端末装置２０は、今回の受信間隔の計測時点から前回の受信間隔の計測時点までの間に、発電素子１１の受光面が遮光された、すなわち、椅子４００に人が着席したと判定してもよい。
【００５４】
上記において、受信間隔の変化が、人の着席または離席に起因するのか、または外光照度に起因するのかを推定できればよいため、椅子４００に人が着席した際に当該人により発電素子１１の受光面が完全に遮光される必要はない。当該判定が適切に行なうことができるように、受光面が遮光される位置に取り付けられていればよい。
【００５５】
＜処理手順＞
図８は、実施の形態１に従う端末装置２０の処理手順の一例を示す図である。図８に示す端末装置２０の各ステップは、主に、プロセッサ２１がメモリ２２に格納されたプログラムを実行することによって実現される。ここでは、図５に示すように、外光が差し込む部屋５００に配置された椅子４００に発信装置１０が取り付けられている場面を想定する。
【００５６】
図８を参照して、端末装置２０は、受信アンテナ２３を介して、ビーコン信号１５を受信したか否かを判断する（ステップＳ１０）。ビーコン信号１５を受信していない場合には（ステップＳ１０においてＮＯ）、端末装置２０はステップＳ１０の処理に戻る。ビーコン信号１５を受信した場合には（ステップＳ１０においてＹＥＳ）、端末装置２０は、ビーコン信号１５の受信間隔を計測（算出）する（ステップＳ１２）。具体的には、端末装置２０は、ビーコン信号１５を前回受信した時点と、ビーコン信号１５を今回受信した時点との間隔を計測する。
【００５７】
続いて、端末装置２０は、計測した受信間隔が所定周期（例えば、１秒）よりも大きいか否かを判断する（ステップＳ１４）。ここで、所定周期は、信号発信期間において発信回路１４から発信されるビーコン信号１５の発信周期である。当該受信間隔が所定周期以下である場合には（ステップＳ１４においてＮＯ）、端末装置２０はステップＳ１０の処理に戻る。当該受信間隔が所定周期よりも大きい場合には（ステップＳ１４においてＹＥＳ）、端末装置２０は、今回の受信間隔から前回の受信間隔を減算した減算値Ｓの絶対値が所定値Ｋ以上であるか否かを判断する（ステップＳ１６）。
【００５８】
減算値Ｓが所定値Ｋ未満である場合には（ステップＳ１６においてＮＯ）、端末装置２０はステップＳ１０に戻る。減算値Ｓの絶対値が所定値Ｋ以上である場合には（ステップＳ１６においてＹＥＳ）、端末装置２０は減算値Ｓの符号が正であるか否かを判断する（ステップＳ１８）。
【００５９】
当該符号が正である場合には（ステップＳ１８においてＹＥＳ）、端末装置２０は、前回の受信間隔の計測時点から今回の受信間隔の計測時点までの間に、人が椅子４００に着席したと判定し、ステップＳ１０の処理に戻る。なお、端末装置２０は、人が椅子４００に着席したと判定した場合、推定結果をディスプレイ２６に表示してもよい。あるいは、端末装置２０は、スピーカ（図示しない）を介して判定結果を音声出力してもよい。
【００６０】
当該符号が負である場合には（ステップＳ１８においてＮＯ）、端末装置２０は、前回の受信間隔の計測時点から今回の受信間隔の計測時点までの間に、人が椅子４００から離席したと判定し（ステップＳ２２）、ステップＳ１０の処理に戻る。なお、端末装置２０は、人が椅子４００に離席したと判定した場合、判定結果をディスプレイ２６に表示してもよい。
【００６１】
上記フローチャートでは、今回の受信間隔と前回の受信間隔との減算値Ｓを用いて、着席および離席を推定する方式について説明したが、今回の受信間隔に対する前回の受信間隔の比率を用いて、着席および離席を判定する方式であってもよい。
【００６２】
＜利点＞
実施の形態１によると、端末装置２０において、発信装置１０から発信されるビーコン信号１５の受信間隔を監視することにより、発信装置１０に照射されている光の照度を監視できる。また、色素増感太陽電池の発電電力により発信装置１０は駆動するため、電力を供給するための配線工事、および電池の交換も不要となる。これにより、煩雑な手間が生じることなく、発信装置１０が配置されている場所の照度を管理できる。
【００６３】
また、外光が差し込む部屋５００に配置された椅子４００の座面４０１に発信装置１０を取り付けた場合には、受信間隔の変化を監視することにより人の着席および離席を判定することができる。
【００６４】
［実施の形態２］
実施の形態２では、実施の形態１に係る発信装置１０の発信動作とは異なる発信動作について説明する。
【００６５】
図９は、実施の形態２に従う発信回路の発信動作を説明するための図である。図９では、時刻ｔｘ０から発電素子１１に光が照射される場面を想定する。
【００６６】
図９を参照して、時刻ｔｘ０から時刻ｔｘ１直前までの期間Ｔｘ１は、ビーコン信号１５の発信が停止している信号停止期間である。期間Ｔｘ１では、発電素子１１による発電電力がコンデンサ１２に蓄電されており、発信回路１４は停止している。時刻ｔｘ１に、コンデンサ電圧が閾値Ｔｈ１に到達すると、発信回路１４からビーコン信号１５が１回発信され、端末装置２０が当該ビーコン信号１５を受信する。この場合、発信装置１０のコンデンサ電圧は少し低下するが閾値Ｔｈ２以下にはならないため、制御回路１３は発信回路１４への電力供給を維持する。これにより、発信回路１４の駆動状態は維持される。
【００６７】
時刻ｔｘ１直後から時刻ｔｘ２直前までの期間Ｔｘ２では、期間Ｔｘ１と同様に信号停止期間である。期間Ｔｘ２では、発信回路１４の駆動状態は維持されるがビーコン信号１５は発信されないため、発電素子１１により生成された発電電力がコンデンサ１２に蓄電される。時刻ｔｘ２に、コンデンサ電圧が閾値Ｔｈ１に到達すると、発信回路１４からビーコン信号１５が１回発信され、端末装置２０が当該ビーコン信号１５を受信する。
【００６８】
時刻ｔｘ２直後から時刻ｔｘ３直前までの期間Ｔｘ３、時刻ｔｘ３直後から時刻ｔｘ４直前までの期間Ｔｘ４は信号停止期間であり、時刻ｔｘ３および時刻ｔｘ４にビーコン信号１５が１回発信され、端末装置２０が当該ビーコン信号１５を受信する。以下同様に、ｔｘ５〜ｔｘ９において、ビーコン信号１５が１回発信される。
【００６９】
図９を参照すると、期間Ｔｘ３は期間Ｔｘ２よりも短い。これは、期間Ｔｘ３におけるコンデンサ電圧の上昇速度が、期間Ｔｘ２におけるコンデンサ電圧の上昇速度よりも速いことを意味している。すなわち、期間Ｔｘ３では、期間Ｔｘ２よりも、発電素子１１が受光している光の照度が大きいことを意味している。期間Ｔｘ４は、期間Ｔｘ３よりもさらに短くなっており、発電素子１１が受光している光の照度がさらに大きくなっていることを意味している。
【００７０】
実施の形態１では、コンデンサ電圧が閾値Ｔｈ１に到達した場合、発信回路１４は、コンデンサ電圧が閾値Ｔｈ２以下になるまでビーコン信号１５を所定周期で発信し続ける。一方、実施の形態２では、コンデンサ電圧が閾値Ｔｈ１に到達して発信回路１４が駆動された場合、発信回路１４はビーコン信号１５を１回発信して、駆動状態を維持する（すなわち、コンデンサ電圧が閾値Ｔｈ２以下にならないように発信する）。発信回路１４が駆動された後、駆動状態を維持することができればよく、発信回数は１回に限られず、複数回であってもよい。このように、実施の形態２では、制御回路１３は、発信回路１４の駆動状態を維持しつつ、コンデンサ電圧が閾値Ｔｈ１に到達するごとに発信回路１４にビーコン信号１５を発信させる。
【００７１】
したがって、図９に示すように発信装置１０が発信動作を行なう場合であっても、端末装置２０は、発信装置１０（発信回路１４）から発信されるビーコン信号１５の受信間隔を監視することにより、間接的に、発信装置１０の受光面に照射される光の照度を監視することができる。
【００７２】
より具体的には、端末装置２０は、上記の発信動作を行なう場合における、光の照度と受信間隔との関係を示す情報（例えば、実施の形態１における関係情報Ｘに対応する情報）をメモリ２２に予め記憶しておく。そして、端末装置２０は、ビーコン信号１５を前回受信した時点（例えば、時刻ｔｘ２）と、ビーコン信号１５を今回受信した時点（例えば、時刻ｔｘ３）との受信間隔（例えば、期間Ｔｘ３）と、メモリ２２に記憶された関係情報とを比較して、発信装置１０に照射される光の照度を推定する。
【００７３】
椅子４００に発信装置１０を取り付けた場合における、実施の形態２に従う端末装置２０の処理手順は、図８に示す処理手順とほぼ同様である。具体的には、端末装置２０は、ステップＳ１０，Ｓ１２，Ｓ１６〜Ｓ２２を実行し、ステップＳ１４を実行しない。
【００７４】
＜利点＞
実施の形態２によると、実施の形態１と同様の利点を有する。
【００７５】
［実施の形態３］
実施の形態３では、実施の形態１の＜応用例＞とは別の応用例について説明する。具体的には、実施の形態３では部屋５００に照明装置がさらに取り付けられている例について説明する。
【００７６】
図１０は、実施の形態３に従う監視システム１０００Ａによる着席および離席の判定方式を説明するための図である。図１０では、部屋５００の天井に照明装置８００が設けられている点、および発信装置１０Ａが部屋５００の隅に配置されている点が、図５と異なる。なお、説明の容易化のため、図１０においては、人が椅子４００に着席しているものとする。監視システム１０００Ａは、監視システム１０００に発信装置１０Ａを追加した構成である。
【００７７】
実施の形態１では、着席または離席することによる受信間隔の変化が大きいことを利用して、人が椅子４００に着席しているか否かを判定する構成について説明した。実施の形態３では、照明装置８００の電源がＯＮまたはＯＦＦされると、椅子４００に照射される光の照度が大きく変化するため、受信間隔も大きく変化すると考えられる。そのため、受信間隔の大きな変化が、照明装置８００の電源がＯＮ（またはＯＦＦ）されたことに起因するのか、人が椅子４００に着席（あるいは椅子４００から離席）したことに起因するのかを精度よく判断できない可能性がある。
【００７８】
そこで、実施の形態３では、椅子４００に取り付けられた発信装置１０に加えて、照明装置８００から照射される光の照度を監視するための発信装置１０Ａを利用して、椅子４００に人が着席したのか否かを判定する構成について説明する。
【００７９】
発信装置１０Ａの配置場所は、部屋５００内において、照明装置８００により光が照射可能なエリアであって、かつ、照明装置８００から光が照射されている場合に発電素子１１の受光面が当該光を受光可能な位置に配置されていればよい。図１０の例では、発信装置１０は、発電素子１１の受光面が天井側（すなわち、照明装置８００側）を向くように、部屋５００の隅に配置されている。なお、照明装置８００から照射される光の照度を精度よく監視するため、発信装置１０は外光の影響を受けにくい場所に配置されていてもよい。
【００８０】
図１０（ａ）に示すように、照明装置８００から光が照射されている場合、発信装置１０Ａは、照明装置８００（および外光）からの光を受けているため、発信装置１０Ａから発信されるビーコン信号１５Ａの発信間隔は比較的短い（すなわち、端末装置２０によるビーコン信号１５Ａの受信間隔は比較的短い）。一方、図１０（ｂ）に示すように、照明装置８００から光が照射されていない場合、発信装置１０Ａは、照明装置８００からの光を受けていない（外光のみを受けている）ため、発信装置１０Ａから発信されるビーコン信号１５Ａの発信間隔は比較的長い（すなわち、端末装置２０によるビーコン信号１５Ａの受信間隔は比較的長い）。
【００８１】
このように、端末装置２０は、ビーコン信号１５Ａの受信間隔を監視することにより、照明装置８００から光が照射されているか否か（すなわち、ＯＮおよびＯＦＦ状態）を監視できる。また、図５で説明したように、端末装置２０は、ビーコン信号１５の受信間隔を監視することにより、発信装置１０の受光面に照射されている照度の変化を監視できる。したがって、端末装置２０は、ビーコン信号１５の受信間隔と、ビーコン信号１５Ａの受信間隔とに基づいて、椅子４００に人が着席しているか否かを判定する。
【００８２】
ここで、発信装置１０，１０Ａは、実施の形態１に従う発信動作を行なうものとする。端末装置２０は、ビーコン信号１５に関して、今回の受信間隔から前回の受信間隔を減算した減算値Ｓを算出する。端末装置２０は、ビーコン信号１５Ａに関して、今回の受信間隔から前回の受信間隔を減算した減算値Ｓａを算出する。
【００８３】
次に、端末装置２０は、減算値Ｓの絶対値が所定値Ｋ以上、かつ減算値Ｓａの絶対値が所定値Ｋａ以上であるか否かを判断する。減算値Ｓの絶対値が所定値Ｋ以上、かつ減算値Ｓａの絶対値が所定値Ｋａ以上である場合には、ビーコン信号１５の受信間隔と、ビーコン信号１５Ａの受信間隔とが同じタイミングで急激に変化したことを意味する。
【００８４】
そして、減算値Ｓ（および減算値Ｓａ）の符号が正である場合には、部屋５００全体が明るい状態から暗い状態になったと推定されるため、人が椅子４００に着席したのではなく、照明装置８００が点灯状態から消灯状態になったと推定される。減算値Ｓ（および減算値Ｓａ）の符号が負である場合には、部屋５００全体が暗い状態から明るい状態になったと推定されるため、人が椅子４００から離席したのではなく、照明装置８００が消灯状態から点灯状態になったと推定される。
【００８５】
一方、減算値Ｓが所定値Ｋ以上であって、かつ減算値Ｓａが所定値Ｋａ未満である場合には、ビーコン信号１５の受信間隔は急激に変化したが、ビーコン信号１５Ａの受信間隔は急激に変化していないことを意味する。そして、減算値Ｓの符号が正である場合には、発信装置１０の受光面のみが明るい状態から暗い状態になったと推定されるため、人が椅子４００に着席したと判定される。減算値Ｓの符号が負である場合には、発信装置１０の受光面のみが暗状態から明状態になったと推定されるため、人が椅子４００から離席したと判定される。
【００８６】
なお、ビーコン信号１５の受信間隔が所定間隔Ｍ１以上であり、ビーコン信号１５Ａの受信間隔が所定間隔Ｍ２未満である場合には、発信装置１０が受ける光の照度は小さいが、発信装置１０Ａが受ける光の照度は大きいことを意味するため、端末装置２０は、人が椅子４００に着席していると判定してもよい。
【００８７】
図１１は、実施の形態３に従う端末装置２０の処理手順の一例を示すフローチャートである。図１１を参照して、端末装置２０は、各ビーコン信号１５，１５Ａを受信する（ステップＳ５０）。端末装置２０は、ビーコン信号１５の受信間隔と、ビーコン信号１５Ａの受信間隔とを計測する（ステップＳ５２）。
【００８８】
端末装置２０は、ビーコン信号１５に関する減算値Ｓを算出し（ステップＳ５４）、ビーコン信号１５Ａに関する減算値Ｓａを算出する（ステップＳ５６）。端末装置２０は、減算値Ｓの絶対値が所定値Ｋ以上であるか否かを判断する（ステップＳ５８）。減算値Ｓの絶対値が所定値Ｋ未満である場合には（ステップＳ５８においてＮＯ）、端末装置２０はステップＳ５０に戻る。減算値Ｓの絶対値が所定値Ｋ以上である場合には（ステップＳ５８においてＹＥＳ）、端末装置２０は、減算値Ｓａの絶対値が所定値Ｋａ以上であるか否かを判断する（ステップＳ６０）。
【００８９】
減算値Ｓａの絶対値が所定値Ｋａ以上である場合には（ステップＳ６０においてＹＥＳ）、端末装置２０はステップＳ５０に戻る。減算値Ｓａの絶対値が所定値Ｋａ未満である場合には（ステップＳ６０においてＮＯ）、端末装置２０は減算値Ｓの符号が正であるか否かを判断する（ステップＳ６２）。
【００９０】
当該符号が正である場合には（ステップＳ６２においてＹＥＳ）、端末装置２０は、前回の受信間隔の計測時点から今回の受信間隔の計測時点までの間に、人が椅子４００に着席したと判定し（ステップＳ６４）、ステップＳ５０の処理に戻る。
【００９１】
当該符号が負である場合には（ステップＳ６２においてＮＯ）、端末装置２０は、前回の受信間隔の計測時点から今回の受信間隔の計測時点までの間に、人が椅子４００から離席したと判定し（ステップＳ６６）、ステップＳ５０の処理に戻る。
【００９２】
上記フローチャートでは、今回の受信間隔と前回の受信間隔との減算値を用いて、着席および離席を推定する方式について説明したが、今回の受信間隔に対する前回の受信間隔の比率を用いて、着席および離席を推定する方式であってもよい。
【００９３】
＜利点＞
実施の形態３によると、照明装置８００が設けられた環境下においても、椅子４００に着席したか否かを精度よく判定できる。
【００９４】
［実施の形態４］
実施の形態４では、監視システムの他の応用例について説明する。具体的には、実施の形態４では、照明装置が設けられた各部屋に発信装置が配置されている構成について説明する。
【００９５】
図１２は、実施の形態４に従う監視システム１１００を説明するための図である。図１２を参照して、各部屋には照明装置（図示しない）が設けられており、発信装置１０が配置されている。各発信装置１０は、照明装置により光が照射可能なエリアであって、かつ、照明装置から光が照射されている場合に発電素子１１の受光面が当該光を受光可能な位置に配置されている。
【００９６】
端末装置２０は、各発信装置から発信されるビーコン信号１５を受信する。端末装置２０は、各ビーコン信号１５について、受信間隔を算出する。ある部屋の照明装置から光が照射されている場合、当該部屋に配置された発信装置１０から発信されるビーコン信号１５の発信間隔は比較的短い（すなわち、端末装置２０によるビーコン信号１５Ａの受信間隔は比較的短い）。そのため、端末装置２０は、各部屋に配置された発信装置１０から発信されるビーコン信号１５の受信間隔を監視することにより、照明装置から光が照射されているか否か（すなわち、ＯＮおよびＯＦＦ状態）を監視できる。
【００９７】
なお、端末装置２０は、ビーコン信号１５に含まれる発信装置１０の識別情報と、当該発信装置１０の配置場所（例えば、番号ｎの部屋等）との関係を示す情報をメモリ２２に格納している。例えば、識別情報「２」に対応する発信装置１０が、番号２０６の部屋に配置されているとする。端末装置２０は、識別情報「２」を含むビーコン信号１５を受信した場合、当該ビーコン信号１５を発信した発信装置１０が番号２０６の部屋に配置されていると判断できる。
【００９８】
例えば、端末装置２０は、番号２０６の部屋に配置された発信装置１０から発信されるビーコン信号１５の受信間隔が所定間隔Ｍ１未満である場合には、番号２０６の部屋の照明装置は点灯状態であると判定し、当該受信間隔が所定間隔Ｍ１以上である場合には、当該照明装置は消灯状態であると判定する。
【００９９】
＜利点＞
実施の形態４によると、各部屋の照明装置の点灯状態を把握することができる。
【０１００】
［実施の形態５］
実施の形態５では、監視システムの他の応用例について説明する。具体的には、実施の形態５では、会議室に設けられた各机に発信装置を配置する構成について説明する。
【０１０１】
図１３は、実施の形態５に従う監視システム１２００を説明するための図である。図１２を参照して、会議室に設けられた監視システム１２００は、端末装置６０と、複数の発信装置１０とを含む。
【０１０２】
会議室には照明装置（図示しない）が設けられている、各発信装置１０は、照明装置により光が照射可能なエリアであって、かつ、照明装置から光が照射されている場合に発電素子１１の受光面が当該光を受光可能な位置に配置されている。具体的には、発信装置１０は、会議室にコの字状に配置された各机５０Ａ〜５０Ｊ（以下、「机５０」とも総称する。）に埋め込まれている。例えば、ＰＣ５３を机５０Ｂ上に置くと、発電素子１１の受光面がＰＣ５３により遮光されるように構成されている。以下の説明では、照明装置は点灯状態であるとする。
【０１０３】
端末装置６０は、実施の形態１の端末装置２０に相当する装置であり、各発信装置１０から発信されるビーコン信号１５を受信する。端末装置６０は、受信間隔を監視することにより発信装置１０が受けている光の照度を監視する。
【０１０４】
端末装置６０は、各発信装置１０から発信される所定信号の受信間隔に基づいて、各発信装置１０が物体により遮光されたか否かを監視する。具体的には、端末装置６０は、ある発信装置１０から発信される所定信号の受信間隔が所定間隔Ｍ１以上である場合には、当該発信装置１０が物体により遮光されたと判断する。図１３の例では、端末装置６０は、机５０Ｂに配置された発信装置１０（の発電素子１１の受光面）がＰＣ５３により遮光されたと判断する。そして、端末装置２０は、机５０Ｂに向けてデータ７０を送信する。これにより、ＰＣ５３は、受信アンテナ（図示しない）を介してデータ７０を受信する。
【０１０５】
図１４は、実施の形態５に従う端末装置６０のハードウェア構成である。図１４を参照して、端末装置６０は、プロセッサ６１と、メモリ６２と、受信アンテナ６３と、通信インターフェイス（Ｉ／Ｆ）６４と、入力装置６５と、送信アンテナ６８とを含む。プロセッサ６１、メモリ６２、受信アンテナ６３、通信インターフェイス６４、入力装置６５は、図１中のプロセッサ２１、メモリ２２、受信アンテナ２３、通信インターフェイス２４、入力装置２５にそれぞれ対応する。
【０１０６】
送信アンテナ６８は、指向性を有しており、送信アンテナ６８の電波送信方向（データ送信方向）を切り替えることによって、異なる複数方向へ電波（例えば、ミリ波）を送信できる。送信アンテナ６８で用いられる無線通信規格は、例えば、第５世代移動通信システムである。
【０１０７】
メモリ６２には、各机５０に配置された発信装置１０の識別情報と、当該発信装置１０の配置場所（例えば、各机５０のうちのどの机に配置されているのかを示す位置情報）との関係を示す情報をメモリ２２に格納している。
【０１０８】
図１５は、実施の形態５に従う端末装置６０の処理手順の一例を示すフローチャートである。図１５に示す端末装置６０の各ステップは、主に、プロセッサ６１がメモリ６２に格納されたプログラムを実行することによって実現される。端末装置６０は、各発信装置１０の各々について、当該発信装置１０から発信されるビーコン信号１５の受信が途絶えている時間（すなわち、受信間隔）を常時計測しているとする。
【０１０９】
図１５を参照して、端末装置６０は、各発信装置１０から発信されるビーコン信号１５のうち、所定時間以上受信できないビーコン信号１５が存在するか否かを判断する（ステップＳ１００）。当該ビーコン信号１５が存在しない場合（ステップＳ１００においてＮＯ）、端末装置６０は処理を終了する。
【０１１０】
当該ビーコン信号１５が存在する場合（ステップＳ１００においてＹＥＳ）、端末装置６０は、当該ビーコン信号１５を発信する発信装置１０が配置されている場所を特定する（ステップＳ１０２）。具体的には、端末装置６０は、メモリ６２を参照して、当該ビーコン信号１５に対応する識別情報と関連付けられた位置情報を取得する。これにより、端末装置６０は、所定時間以上ビーコン信号１５を発信していない発信装置１０の場所（例えば、机５０）を特定する。続いて、端末装置６０は、送信アンテナ６８を介して、特定された場所（例えば、机５０）に向けて、データを送信して（ステップＳ１０４）、処理を終了する。
【０１１１】
上記では、各机５０に配置された発信装置１０の識別情報と、当該発信装置１０の配置場所との関係を示す情報をメモリ６２に格納する構成について説明したが、当該構成に限られない。例えば、当該情報は、外部サーバに格納されていてもよい。この場合、端末装置６０は、ビーコン信号１５に対応する識別情報を外部サーバに送信する。外部サーバは、受信した識別情報に関連付けられた位置情報を特定し、当該特定された位置情報を端末装置６０に送信する。端末装置６０は、当該位置情報を受信する。
【０１１２】
＜利点＞
実施の形態５によると、机上に埋め込まれた発信装置１０からの発信信号を監視することにより、発信装置１０を遮光したＰＣ５３に対してデータを送信することができる。
【０１１３】
［その他の実施の形態］
コンピュータを機能させて、上述の実施の形態で説明したような制御を実行させるプログラムを提供してもよい。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１４】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１１５】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１６】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１１７】
また、上述した実施の形態において、他の実施の形態で説明した処理や構成を適宜組み合わせて実施する場合であってもよい。
【０１１８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１９】
１０，１０Ａ  発信装置、１１  発電素子、１２  コンデンサ、１３  制御回路、１４  発信回路、１５，１５Ａ  ビーコン信号、２０，６０  端末装置、２１，６１  プロセッサ、２２，６２  メモリ、２３，６３  受信アンテナ、２４，６４  通信インターフェイス、２５，６５  入力装置、２６  ディスプレイ、５０  机、６８  送信アンテナ、７０  データ、２０６，ｎ  番号、３００  曲線、４００  椅子、４０１  座面、４０２  背もたれ、５００  部屋、５０１  窓、８００  照明装置、１０００，１０００Ａ，１１００，１２００  監視システム。
【図１】
2019021979.tif 000003
【図２】
2019021979.tif 000004
【図３】
2019021979.tif 000005
【図４】
2019021979.tif 000006
【図５】
2019021979.tif 000007
【図６】
2019021979.tif 000008
【図７】
2019021979.tif 000009
【図８】
2019021979.tif 000010
【図９】
2019021979.tif 000011
【図１０】
2019021979.tif 000012
【図１１】
2019021979.tif 000013
【図１２】
2019021979.tif 000014
【図１３】
2019021979.tif 000015
【図１４】
2019021979.tif 000016
【図１５】
2019021979.tif 000017